(57)【特許請求の範囲】
【請求項１】
ハンドル本体と、前記ハンドル本体の各端部をそれぞれ挿入量可変に収容する左右の上ベースと、鞄本体に取り付けられる左右の下ベースとを有し、前記下ベースに対して上ベースを上下方向に揺動自在に取り付けると共に、前記ハンドル本体の各端部は上ベースに対して挿入量が大きくなる方向にバネ付勢されている昇降ハンドルであって、上ベースの下板に孔を、下ベースの上面に突出する突起を、それぞれ設けてあり、ハンドル本体の不使用時においては、前記突起に孔が外嵌状態になることを特徴とする昇降ハンドル。
【請求項２】
下ベースに対して上ベースを上下方向に揺動する支点を、全長の端部近傍に設けてあることを特徴とする請求項１記載の昇降ハンドル。
【請求項３】
左右の下ベースは、左右一体、又は左右別体に形成されていることを特徴とする請求項１又は２記載の昇降ハンドル。
【発明の詳細な説明】
【技術分野】
【０００１】
この発明は、平らな状態のハンドル本体を上方に引き出して使用する昇降ハンドルに関するものである。
【背景技術】
【０００２】
この種の昇降ハンドルは、ハンドル本体と、バネ板（鋼）と、ベースとから構成され、カバン本体に取り付けられた一対のベース相互間に、ハンドル本体にインサートされたバネ板の突出端を取り付けて成る。
【０００３】
上記昇降ハンドルでは、不使用状態においては、バネ板の形状復元作用により、曲状態から平らな状態に戻るようになっている。
【０００４】
しかしながら、上記昇降ハンドルでは、取り付け状態、及び使用状態において、以下の問題がある。
（この昇降ハンドルの取り付け状態での問題点)
上記昇降ハンドルでは、ハンドル本体を平らな状態にすると、ハンドル本体
の端部とベースの当たり部との間に隙間ができ、前記隙間の存在によりハンドル本体はこれの長手方向に多少のガタツキを生じてしまう。
【０００５】
なお、上記問題を解決する手段としては、例えばハンドル本体の端部とベースの当たり部の間の隙間を無くすべく寸法設定することが考えられるが、通常は製造公差を考慮して、ハンドル本体の端部がベースの当たり部に当接した状態で、ハンドル本体が少し湾曲した状態となるようにしている。したがって、見栄えが少し悪いものとなっている。
【０００６】
要するに、上記昇降ハンドルでは、ハンドル本体が平らな状態にならないか、またはガタツキが生じるという問題がある。
（この昇降ハンドルの使用状態での問題点）
Ａ．昇降ハンドル全長に対して、ハンドル本体の引き出し長さは二個のベース分だけ短かくなるのでハンドル本体の曲がりがきつく、その結果、持ちにくいものになると共に、バネ板の形状復元作用によりハンドル本体を引き出すのに大きな力を要することになる。
Ｂ．ハンドル本体を引き出した時には、ベースからバネ板が引き出されて当該バネ板が露出することになるので、見栄えが悪い。
Ｃ．ハンドル本体の引き出しの際、左右の引き出し量が均等なものとなりにくく、引き出し時のハンドル本体の形状が安定しない。
Ｄ．上述した如くハンドル本体の曲がりがきついので、ハンドル本体引き出し時において、バネ板とベースとの磨耗が生じ、商品寿命にも影響を与える。
【特許文献１】実願平５−３３５７５（特に、図３）
【発明の開示】
【発明が解決しようとする課題】
【０００７】
そこで、この発明は、(1)取付け時においてハンドル本体が平らでガタツキがなく、(2)ハンドル本体が引き出しやすく且つ引き出し時のハンドル本体の形状が安定し、(3)各部材間での磨耗が少なく(4)外観上の見栄えが良い、昇降ハンドルを提供することを課題とする。
【課題を解決するための手段】
【０００８】
（請求項１記載の発明）
この発明の昇降ハンドルは、ハンドル本体と、前記ハンドル本体の各端部をそれぞれ挿入量可変に収容する左右の上ベースと、鞄本体に取り付けられる左右の下ベースとを有し、前記下ベースに対して上ベースを上下方向に揺動自在に取り付けると共に、前記ハンドル本体の各端部は上ベースに対して挿入量が大きくなる方向にバネ付勢されており、上ベースの下板に孔を、下ベースの上面に突出する突起を、それぞれ設けてあり、ハンドル本体の不使用時においては、前記突起に孔が外嵌状態になる。
（請求項２記載の発明）
この発明は、上記請求項１記載の発明に関し、下ベースに対して上ベースを上下方向に揺動する支点を、全長の端部近傍に設けてある。
（請求項３記載の発明）
この発明は、上記請求項１又は２記載の発明に関し、左右の下ベースは、左右一体、又は左右別体に形成されている。
【発明の効果】
【０００９】
この発明の昇降ハンドルによると、(1)取付け時においてハンドル本体が平らでガタツキがなく、(2)ハンドル本体が引き出しやすく且つ引き出し時のハンドル本体の形状が安定し、(3)各部材間での磨耗が少なく(4)外観上の見栄えが良いものとなる。
【発明を実施するための最良の形態】
【００１０】
以下にこの発明の昇降ハンドルを実施するための最良の形態として実施例について詳しく説明する。
【実施例１】
【００１１】
図１、図２は使用状態の昇降ハンドルＨの外観図、図３は不使用状態の昇降ハンドルＨの外観図、図４は昇降ハンドルＨの分解斜視図、図５〜図７は不使用状態の昇降ハンドルＨの平面図及び部分断面図、図８〜図１０は使用状態の昇降ハンドルＨの上面図及び部分断面図を示している。
【００１２】
この実施例の昇降ハンドルＨは、図１〜図４に示すように、ハンドル本体１と、前記ハンドル本体１の各端部をそれぞれ挿入量可変に収容する左右の上ベース２，２と、鞄本体（図示せず）に取り付けられる左右の下ベースと３，３を有し、前記下ベース３，３に対して上ベース２，２を上下方向に揺動自在にピン４で取り付けると共に、前記ハンドル本体１の各端部は上ベース２，２に対して挿入量が大きくなる方向にバネ５で付勢されている。
【００１３】
なお、この昇降ハンドルＨでは、図２や図３に示すように、下ベース３に対して上ベース２を上下方向に揺動する支点を、全長の端部近傍に設けてある。また、この昇降ハンドルＨでは、図４に示すように、上ベース２を構成する板材２１に孔２４を、下ベース３の上面に突出する突起３０を、それぞれ設けてあり、ハンドル本体１の不使用時においては、前記突起３０に孔２４が外嵌状態になっている。
【００１４】
（ハンドル本体１と、これに付帯する構成物）
ハンドル本体１は、図５のＸ−Ｘ断面図である図６に示すように、ゴム素材１a内に、幅狭のバネ板１０を埋設すると共に前記バネ板１０の両端近傍にストッパー６をリベット１１で止めて成り、前記ストッパー６をゴム素材１aの端部からそれぞれ突出させる構成を採っている。ここで、上記ストッパー６には、図４に示すように、その中程部に開口６１を設けてある。
【００１５】
なお、前記バネ板１０は、図６に示す如く、直線状に埋設してあり、これにより不使用状態のハンドル本体１は平らな状態が維持されるようにしてある。
【００１６】
（上ベース２と、下ベース３について）
上ベース２は、図４や図６に示すように、カバー２０と板材２１とを三本のビス２２で一体化してあり、これにより向かい合う上ベース２，２の開口２３，２３内にハンドル本体１の各端部が挿入できるようにしてある。
【００１７】
上記カバー２０と板材２１との一体化は、より詳細には図６に示すように、上記カバー２０の上壁から垂設された筒状雌ネジ部２７にビス２２をネジ込む態様としてあり、この筒状雌ネジ部２７は開口部６１を貫通させてある。
【００１８】
ここで、上記板材２１には、図４、図６、図７に示すように、その中央部分に孔２４を設けてあると共に内側寄りに二つのバネ５，５を受ける受け部材２５を設けてあり、上記した各バネ５は圧縮状態で垂下部６０と前記バネ受け部材２５との間で支持されるようになっている。
【００１９】
なお、上ベース２の外側部分には、図４に示すように、幅方向中央膨らみ部分２６にピン孔挿入孔４０を設けてある。
【００２０】
下ベース３は、図４や図６に示すように、基本的には板材で形成されており、その中央部分に上記した突起３０が貫通設置してある。また、この下ベース３、には幅方向両端３１，３１の膨らみ部分にピン孔挿入孔４１，４１を設けてある。なお、下ベース３の外側端には図１や図６に示すように、当該下ベース３を鞄に取り付けるためのネジ止用ボス３２を設けてある。
【００２１】
（この昇降ハンドルＨの優れた機能について）
この昇降ハンドルＨでは、取り付け状態、及び使用状態において、背景技術で記載した昇降ハンドル（従来の昇降ハンドル）の問題点を以下のように解決している。
【００２２】
「昇降ハンドルの取り付け状態での問題点の解決について」
上記昇降ハンドルでは、上述した如くハンドル本体が平らな状態にならないか、またはガタツキが生じるという問題があった。
【００２３】
これに対して、この実施例の昇降ハンドルでは、図９、図１０の使用状態から図６、図７の如き不使用状態になった場合、以下のように機能する。
【００２４】
上記した各バネ５は常時、圧縮状態で上記垂下部６０と前記受け部材２５との間で支持されており、これより、使用状態は勿論のこと不使用状態でも、常に昇降ハンドル１には左右から引っ張り力が生じている。
【００２５】
したがって、ガタツキが無いと共に、ハンドル本体は確実に平らな状態になる。
【００２６】
「この昇降ハンドルの使用状態での問題の解決について」
Ａ．昇降ハンドル全長に対して、ハンドル本体の引き出し長さは二個のベース分だけ短かくなるのでハンドル本体の曲がりがきつく、その結果、持ちにくいものになると共に、バネ板の形状復元作用によりハンドル本体を引き出すのに大きな力を要するという問題があった。
【００２７】
これに対して、この実施例の昇降ハンドルでは、不使用状態から使用状態にする際に、ハンドル本体１を握って上方に引き上げるが、これに伴って上ベース２が下ベースに対して上方に揺動する（図６、図７の状態から図９、図１０の状態に揺動する）こととなるから、上ベース２からのハンドル本体１の引き出しは比較的小さな力で円滑に行える。
【００２８】
また、上記状態のハンドル本体１の形状は緩やかな円弧状となるから、持ちやすいものとなる。
Ｂ．ハンドル本体を引き出した時には、ベースからバネ板が引き出されて当該バネ板が露出することになるので、見栄えが悪いという問題があった。
【００２９】
これに対して、この実施例の昇降ハンドルでは、図９や図１０に示すように、ハンドル本体１はゴム系素材で形成され部分以外は上ベース２から抜け出ないので、見栄えは非常に良い。
Ｃ．従来の昇降ハンドルでは、ハンドル引き出し時に左右で擦れ強さが偏って、左右の引き出し量が均等で無いことがあったが、この実施例の昇降ハンドルではこのようなことは無い。
Ｄ．上述した如くハンドル本体の曲がりがきついので、ハンドル本体引き出し時において、バネ板とベースとの磨耗が生じ、商品寿命にも影響を与える。
これに対して、この実施例の昇降ハンドルでは引き出し時のハンドル本体の曲がりは緩いので、ハンドル本体１の引き出しは、上ベース２からのハンドル本体１の引き出しは比較的小さな力で円滑に行えるので、部材相互間で磨耗が生じにくく、商品寿命にも悪影響を与えにくい。
【００３０】
以上の内容から、この実施例の昇降ハンドルによると、(1)取付け時においてハンドル本体が平らでガタツキがなく、(2)ハンドル本体が引き出しやすく且つ引き出し時のハンドル本体の形状が安定し、(3)各部材間での磨耗が少なく(4)外観上の見栄えが良いものとなる。
【００３１】
（その他について）
上記実施例１に変えて様々な形態を採用することができる。
【００３２】
要するに、ハンドル本体１と、前記ハンドル本体１の各端部をそれぞれ挿入量可変に収容する左右の上ベース２と、鞄本体（図示せず）に取り付けられる左右の下ベース３とを有し、前記下ベース３に対して上ベース２を上下方向に揺動自在に取り付けると共に、前記ハンドル本体１の各端部は上ベース２に対して挿入量が大きくなる方向にバネ５で付勢されている昇降ハンドルであれば、上記実施例１と同等の作用・効果をそうすることが明らかである。
【００３３】
また、上記実施例では、左右の下ベース３，３は左右別体としているが、これに限定されていることなく、左右一体体に形成されているものとしてもよい。
【図面の簡単な説明】
【００３４】
【図１】使用状態の昇降ハンドルの外観斜視図。図５〜図７は不使用状態の昇降ハンドルＨの平面図及び部分断面図、図８〜図１０は使用状態の昇降ハンドルＨの上面図及び部分断面図を示している。
【図２】使用状態の昇降ハンドルの正面図。
【図３】不使用状態の昇降ハンドルの正面図。
【図４】前記昇降ハンドルの分解斜視図、
【図５】不使用状態の昇降ハンドルの上面図。
【図６】図５のＸ−Ｘ断面図。
【図７】図５のＹ−Ｙ断面図。
【図８】使用状態の昇降ハンドルの上面図。
【図９】図８のＸ’−Ｘ’断面図。
【図１０】図８のＹ’−Ｙ’断面図。
【符号の説明】
【００３５】
１      ハンドル本体
１０    バネ板
２      上ベース
２０    カバー
２１    板材
２２    ビス
２３    開口
２４    孔
２５    バネ受け部材
２６    幅方向中央膨らみ部分
３      下ベース
３０    突起
３１    幅方向両端部分        
３２    ネジ止め用ボス
４      ピン
４０    ピン挿入孔
４１    ピン挿入孔
５      バネ
６      ストッパー
６０    垂下部
６１    開口
【図１】
0005003891.tif 000002
【図２】
0005003891.tif 000003
【図３】
0005003891.tif 000004
【図４】
0005003891.tif 000005
【図５】
0005003891.tif 000006
【図６】
0005003891.tif 000007
【図７】
0005003891.tif 000008
【図８】
0005003891.tif 000009
【図９】
0005003891.tif 000010
【図１０】
0005003891.tif 000011